(57)【要約】【課題】照明光のロスや顕微鏡の大型化を招くことなく、特に観察者が深い底の術部を処置する場合であっても術部に十分な照明光を到達させて良好な観察を行うことができる手術用顕微鏡を提供する。【解決手段】光源部１３からの光束を一回結像させる投影光学系を含み光源部からの光束を観察対象２に照射するための照明光学系７と、観察対象を焦点位置とする対物レンズ１と観察対象の観察倍率を変え得る左右一対の変倍光学系３と左右一対の接眼光学系４とを含む観察光学系とを有する実体顕微鏡において、照明光学系の光束が変倍光学系の二つの観察光軸を含む平面に対して垂直方向に移動するように、照明光学系の光軸に対して光源部の中心位置Ｏを偏心させる。【選択図】　図１
2004109840.tif 000002
【特許請求の範囲】
【請求項１】
光源部からの光束を一回結像させる投影光学系を含み前記光源部からの光束を観察対象に照射するための照明光学系と、前記観察対象を焦点位置とする対物レンズと前記観察対象の観察倍率を変え得る左右一対の変倍光学系と左右一対の接眼光学系とを含む観察光学系とを有する実体顕微鏡において、
前記照明光学系の光束が前記変倍光学系の二つの観察光軸を含む平面に対して垂直方向に移動するように、前記照明光学系の光軸に対して前記光源部の中心位置を偏心させたことを特徴とする実体顕微鏡。
【請求項２】
観察対象を焦点位置とする対物レンズと観察対象の観察倍率を変え得る左右一対の変倍光学系と左右一対の接眼光学系とを含む観察光学系と、光源部からの光束を前記観察対象に導く反射部材を含む照明光学系とを有する実体顕微鏡において、
前記反射部材には、前記照明光学系の光束と前記観察光学系の光軸とが近付けるような切欠きが設けられ、該切欠きは、前記変倍光学系の任意の観察倍率における前記観察光学系の二つの光束の外径に１／３以上接する形状であることを特徴とする実体顕微鏡。
【請求項３】
前記照明光学系は照野を変え得る変倍照明光学系であり、前記変倍光学系の倍率変化に伴い前記照明光学系の照野が連動することを特徴とする請求項１に記載の実体顕微鏡。
【請求項４】
前記照明光学系は前記光源部からの光束を前記観察対象に導く反射部材を有し、該反射部材は、前記投影光学系で形成される前記光源部の像付近に配置され、前記投影光学系の光軸に対して垂直方向で前記光源部の出射面の偏心方向とは逆方向に前記反射部材を偏心させたことを特徴とする請求項３に記載の実体顕微鏡。
【請求項５】
前記光源部の偏心量が選択可能なことを特徴とする請求項１に記載の実体顕微鏡。
【請求項６】
前記照明光学系の結像点付近に、出射端面が非円形形状の光学部材が配置され、前記光源部はライトガイドを含み、該ライトガイドの出射端形状は、前記光学部材の出射端面の形状と相似であることを特徴とする請求項１に記載の実体顕微鏡。
【請求項７】
前記反射部材の切欠き部に反射防止材を設けたことを特徴とする請求項２に記載の実体顕微鏡。
【請求項８】
前記反射防止材が遮光布であることを特徴とする請求項７に記載の実体顕微鏡。
【請求項９】
前記照明光学系は前記光源部からの光束を前記観察対象に導く反射部材を有し、該反射部材には、前記照明光学系の光束と前記観察光学系の光軸とが近付けるような切欠きが設けられ、該切欠きは、前記変倍光学系の任意の観察倍率における前記観察光学系の二つの光束の外径に１／３以上接する形状であることを特徴とする請求項１に記載の実体顕微鏡。
【請求項１０】
前記変倍光学系によって観察倍率が高倍になるとき、前記反射部材は前記観察光学系の光軸に近付きつつ前記観察対象の方向に近付くことを特徴とする請求項２又は請求項９に記載の実体顕微鏡。
【請求項１１】
前記観察倍率は７〜２５倍であることを特徴とする請求項２又は請求項９に記載の実体顕微鏡。
【発明の詳細な説明】
【０００１】
【発明の属する技術分野】
本発明は、実体顕微鏡特に手術用顕微鏡に関する。
【０００２】
【従来の技術】
近年、手術の低浸襲化の要請に伴い微細な処置を可能ならしめるため、手術用顕微鏡を用いた手術が多く行われるようになった。通常、手術用顕微鏡には、観察倍率を変更する機能を備えた光学系が内蔵されており、このため、例えば脳神経外科手術においては、腫瘍の摘出や、奇形を呈した血管に対する奇形進行の防止処置、さらには血管の縫合等の様々な処置を最適な倍率での観察の下で行える。
【０００３】
また、手術部位は平坦な表面のものばかりでなく、術部が深く掘り下げた深部に位置するものも多く、特に深い穴を形成した術部の場合、術部を照明しようとする照明光が穴の入り口で遮られやすい。そこで、十分な照明光を深部まで到達させるため、照明光の光軸は術部を観察する観察光の光軸により近いことが好ましい。
【０００４】
このようなことから、術部を照明するための照明光の光軸（以下、照明光軸と呼ぶ）を、術部を観察する観察光の光軸（以下、観察光軸と呼ぶ）に近づけて配置し、または観察光軸と照明光軸とを一致させて配置させた手術用顕微鏡が従来から種々提案されてきた。
【０００５】
従来の手術用顕微鏡は、観察光学系の真下（光軸上）に半透過半反射部材を配置し、観察光学系の光軸と直交する方向から半透過半反射部材に向けて照明光束を入射させ、観察光軸と照明光軸とを一致させることによって、観察光軸と完全に一致した方向から照明光を術部に照射させるようにしている（例えば特許文献１参照）。
【０００６】
また、従来の別の手術用顕微鏡は、術部が深い穴内に位置している場合において、その深い穴内に多くの照明光を照射させるために手術用顕微鏡に内蔵された光源から発せられた照明光の照射軸を２系統に分けると共に、観察光軸に対して左右対称なる位置にそれぞれの照明光の照射軸を固定的に配置して、定まった二方向から観察対象に向けて照明光を照射するようにしている（例えば特許文献２、３参照）。
【０００７】
また、従来のさらに別の手術用顕微鏡は、対物レンズの物体対向面よりも上方に位置する部位から観察者の左右の眼にそれぞれ対応する左右一対の観察光束の中間領域を経て術部に照明光束を導くようにした照明光学系を構成し、左右一対の観察光束の間から術部を照明するようにしている（例えば特許文献４、５参照）。
【０００８】
ところで、特許文献１の手術用顕微鏡は、観察光学系の光軸上に半透過半反射部材を配置しているため、光源を発した照明光はその半分しか観察対象に導けず、さらに観察対象で反射して観察光学系に向かう照明光束も再び該半透過半反射部材を通り、観察光学系に入射することになるので、観察者の観察する明るさは更に減り、光量はおよそ４分の１になってしまう。従って、術者は暗い観察像のもとで手術を行うか、又は観察に必要な光量に対して非常に明るい光量を発することのできる高価な高輝度光源を使用しなければならなかった。
【０００９】
また、特許文献４、５の手術用顕微鏡では、観察者の左右の眼に対応する左右の観察光学系を、中央に位置する照明光学系を避けて左右に配置しなければならないため、左右の観察光束の間隔が大きく離れてしまう。従って、照明光束が深い穴の底に到達したとしても、観察光束の方が、この穴の入り口の縁で遮られてしまい、やはり穴の底を観察することができなかった。そればかりか、左右の観察光束の間隔が大きく離れてしまうので、顕微鏡自体の大型化さえ招いている。
【００１０】
また、特許文献２、３の手術用顕微鏡では、観察光軸に対して左右対称の位置から観察対象に向けて照明光を照射するため、一方向から照射する場合に比べて深い穴の内壁を明るく照らすことは可能であるが、観察光軸に対する照明光軸のなす角度自体は従来の顕微鏡と同じく何ら変わらないため、やはり深い穴の底にある術部に照明光を十分に到達させるには至っていない。
【００１１】
【特許文献１】
特開平８−２５７０３７号公報（図１）
【００１２】
【特許文献２】
特許第３０１１９５０号公報（図２）
【００１３】
【特許文献３】
特開平１０−７３７６９号公報（図１）
【００１４】
【特許文献４】
特公平６−４４１０１号公報（図７）
【００１５】
【特許文献５】
特許第２８９１９２３号公報（図３）
【００１６】
【発明が解決しようとする課題】
本発明は前記事情に着眼してなされたものであり、その目的とするところは、照明光のロスや顕微鏡の大型化を招くことなく、特に観察者が深い底の術部を処置する場合であっても術部に十分な照明光を到達させて良好な観察を行うことができる手術用顕微鏡を提供することにある。
【００１７】
【課題を解決するための手段】
本発明の実体顕微鏡は、
（１）　光源部からの光束を一回結像させる投影光学系を含み前記光源部からの光束を観察対象に照射するための照明光学系と、前記観察対象を焦点位置とする対物レンズと前記観察対象の観察倍率を変え得る左右一対の変倍光学系と左右一対の接眼光学系とを含む観察光学系とを有する実体顕微鏡において、
前記照明光学系の光束が前記変倍光学系の二つの観察光軸を含む平面に対して垂直方向に移動するように、前記照明光学系の光軸に対して前記光源部の中心位置を偏心させたことを特徴とする。
【００１８】
上記の構成によれば、観察光学系の光軸と照明光学系の光束とを近づけられるため、奥深い観察対象であっても照明光束が照射され、明るく観察することが可能となる。
（２）　観察対象を焦点位置とする対物レンズと観察対象の観察倍率を変え得る左右一対の変倍光学系と左右一対の接眼光学系とを含む観察光学系と、光源部からの光束を前記観察対象に導く反射部材を含む照明光学系とを有する実体顕微鏡において、
前記反射部材には、前記照明光学系の光束と前記観察光学系の光軸とが近付けるような切欠きが設けられ、該切欠きは、前記変倍光学系の任意の観察倍率における前記観察光学系の二つの光束の外径に１／３以上接する形状であることを特徴とする。
【００１９】
上記の構成によれば、切欠きがある分照明光束が観察光軸に近づけるため、上述した効果と同様なものとなる。また、奥深い観察対象を観察する観察倍率は高倍時が多いため、上述した任意の観察倍率とは、低倍率より高倍観察時が望ましい。
（３）　前記照明光学系は照野を変え得る変倍照明光学系であり、前記変倍光学系の倍率変化に伴い前記照明光学系の照野が連動することを特徴とする。
（４）　前記照明光学系は前記光源部からの光束を前記観察対象に導く反射部材を有し、該反射部材は、前記投影光学系で形成される前記光源部の像付近に配置され、前記投影光学系の光軸に対して垂直方向で前記光源部の出射面の偏心方向とは逆方向に前記反射部材を偏心させたことを特徴とする。
（５）　前記光源部の偏心量が選択可能なことを特徴とする。
（６）　前記照明光学系の結像点付近に、出射端面が非円形形状の光学部材が配置され、前記光源部はライトガイドを含み、該ライトガイドの出射端形状は、前記光学部材の出射端面の形状と相似であることを特徴とする。
（７）　前記反射部材の切欠き部に反射防止材を設けたことを特徴とする。
（８）　前記反射防止材が遮光布であることを特徴とする。
（９）　前記照明光学系は前記光源部からの光束を前記観察対象に導く反射部材を有し、該反射部材には、前記照明光学系の光束と前記観察光学系の光軸とが近付けるような切欠きが設けられ、該切欠きは、前記変倍光学系の任意の観察倍率における前記観察光学系の二つの光束の外径に１／３以上接する形状であることを特徴とする。
（１０）　前記変倍光学系によって観察倍率が高倍になるとき、前記反射部材は前記観察光学系の光軸に近付きつつ前記観察対象の方向に近付くことを特徴とする。
（１１）　前記観察倍率は７〜２５倍であることを特徴とする。
【００２０】
【発明の実施の形態】
以下、図面を参照して本発明の実体顕微鏡の実施例を説明する。
（実施例１）
本実施例の手術用顕微鏡の構成を図１に示す。この手術用顕微鏡の観察手段は、観察者の左右の眼に対応した視差を与えるべく、対物レンズより後方の光学系は左右一対の観察光学系を構成しているが、図１（ａ）においては手術用顕微鏡を側方から見た図であるため、その片方の観察光学系のみを表している。
【００２１】
図１において示す符号１は、観察光学系（観察手段）の対物レンズであり、この対物レンズ１は観察対象（術部）２を焦点位置とする。対物レンズ１はこれに入射した光束をアフォーカル光束として変倍レンズ系（変倍光学系）３に出射する。図１（ａ）のように手術用顕微鏡を側方から見たときは対物レンズ１と変倍レンズ系３の光軸（観察光軸Ｌ１）は左右一対のものとが同一直線で一致して見える。観察光学系の変倍レンズ系３は対物レンズ１から入射した光束についてアフォーカル変倍を行って再びアフォーカル光束として接眼光学系４に出射するものである。
【００２２】
接眼光学系４は結像レンズ５と接眼レンズ６を含んで構成される。結像レンズ５は前記光軸Ｌ１上に配置され、これには変倍レンズ系３から出射されたアフォーカルな光束が入射される。結像レンズ５から図示しないイメージローテーターを経て結像位置ｉに結像される。接眼レンズ６は結像位置ｉに結ばれた像を拡大して術者に観察させる。
【００２３】
術部２を照らす照明光学系７は、図１（ａ）に示すように対物光軸に対し垂直方向に配置されている。また、照明光学系７は、コンデンサレンズ８、照野絞り９、照野範囲を変え得るバリエーターレンズ１０、バリエーターレンズ１０によって得られる照野絞りの像の焦点を術部２に合わせるための照明レンズ１１で構成される。バリエーターレンズ１０は、変倍レンズ系３の変倍動作に連動している。照明レンズ１１は、バリエーターレンズ１０からの光束を術部２の方向へ反射させるためのプリズム１２と接合されている。
【００２４】
光源部１３は、光源１４と集光レンズ１５とライトガイド１６で構成されている。ライトガイド１３の出射端の中心位置Ｏは、照明光学系７の光軸Ｌ２に対して垂直方向に、本実施例では術部２に対して離れる方向（図１（ａ）の矢印Ａ方向）に偏心している。また、ライトガイド１６の出射端形状は図５のように円形をしている。
【００２５】
光源１４から出射した光束は、集光レンズ１５で集光されライトガイド１６に入射する。ライトガイド１６を出射した光束は、コンデンサレンズ８、照野絞り９、バリエーターレンズ１０、プリズム１２、照明レンズ１１の順で通り、術部２を照らす。本実施例の照明光学系７は、光源部１３の射出瞳を術部２に投影するケーラー照明光学系である。よって、ライトガイド１６の出射端面の像が、コンデンサレンズ８とバリエーターレンズ１０（投影光学系）によって照明レンズ１１の術部２側の面に形成される。また、照野絞り９の像が、バリエーターレンズ１０、照明レンズ１１によって術部２に形成される。
【００２６】
ライトガイド出射端面像は、バリエーターレンズ１０により変倍されるため、照野範囲（倍率変動）によって像の大きさが変化する。プリズム１２に形成されたライトガイドの出射端面像の様子を図１（ｂ）に示す。図１（ｂ）のＩｍａｘは照野範囲が狭い場合（高倍時）のライトガイド１６の端面像であり、Ｉｍｉｎは照野範囲が広い場合（低倍時）のライトガイド１６の端面像である。また、図１０はライトガイド１６の出射端面が照明光学系の光軸Ｌ２に対して偏心していない場合の照明光学系７の概略光線図であり、図１１はライトガイド１６の出射端面が照明光学系の光軸Ｌ２に対して偏心している場合の照明光学系７の概略光線図である（両図共に反射プリズム１２を省いている）。図１０、図１１の夫々（ａ）、（ｂ）は、低倍時（広範囲照明時）、高倍時（狭範囲照明時）の光線図を示す。図１０、図１１において、照明レンズ１１付近の光束（ライトガイド１６の出射端面像）が低倍時と高倍時とで大きさが変化しているのがわかる。なおかつ、図１０の照明レンズ１１の光束より、図１１の照明レンズ１１の光束の方が、照明光軸Ｌ２に対して偏心していることがわかる。
【００２７】
ライトガイド１６の出射端面像が照明光学系の光軸Ｌ２に対して偏心しているため、照明光束が観察光学系の光軸Ｌ１に近づく。言い換えれば、二つの観察光軸Ｌ１を含んだ平面Ｈ１（図１（ｂ）の二点鎖線で示した面）に対して垂直方向にライトガイド１６の端面像（Ｉｍａｘ、Ｉｍｉｎ）が観察光軸Ｌ１に近づいている。すなわち、照明光束が観察光軸Ｌ１に近づいている。これにより、照明光束が深い穴の入り口の縁で遮られてしまう部分が少なくなり、深い穴の底が照明されることになる。そして、術者は、観察光学系の対物レンズ１、変倍レンズ系３、接眼光学系４を通して深い穴の底でも観察可能になる。
【００２８】
更に、図１（ｂ）に示すように観察光学系の光束Ｐ１，Ｐ２をケラないように対物レンズ１に切欠きが設けられており、その切欠いた部分に照明レンズ１１、反射プリズム１２を配置しているため、観察光軸Ｌ１と照明光束が近づいている。
【００２９】
また、本実施例の照明光学系７は照野範囲が可変な光学系であるが、照明範囲が固定の照明光学系でも同様の効果が得られることは言うまでもない。但し、照野範囲が可変な照明光学系では、更なる効果がある。観察倍率が低い場合、観察視野が広いため術者は深い穴の底を見ることはあまり無く、広範囲で浅い手術か、深い穴を掘る前の手術である。また、観察視野が広いと広範囲の照野が必要となり、当然、広範囲の照野は照度を低下させるため、明るさの絶対量が必要となる。それ故に照明光束が照明光学系等でケラレてはならない。一方、観察倍率が高い場合、術者は深い穴の底を見ることがある。また、観察視野が狭いと照野は狭くてよいため、狭範囲の照野は照度を高くすることができる。そのため、低倍時観察とは逆に明るさに余裕ができ、照明光学系等で多少ケラれてもよい。それ故に、本実施例のように、光源部１３（ライトガイド１６の出射端面）を照明光学系７の光軸Ｌ２に対して偏心させれば、図１（ｂ）のＩｍａｘ、Ｉｍｉｎのごとく、広範囲照明時（低倍時）は照明光学系７でケラレず明るさが低下することはない。狭範囲照明時（高倍時）はケラれてはいるが、照明光束が観察光学系の光軸Ｌ１に近づくため術者は奥深い穴の底でも観察可能となる。
【００３０】
このように光源部１３を偏心させるだけで術者の要求を満たす手術用顕微鏡となり得る。更に、ライトガイドの出射端の偏心量が自由自在に変更可能であれば、高倍観察で奥深い穴の底を観察してない場合は明るさ重視で偏心量を無くしたりでき、より良い顕微鏡となり得る。
【００３１】
また、プリズム１２はミラーでも同様の効果が得られることは言うまでもない。
また、光源部１３は、光源１４のみでも同様の効果である。
【００３２】
本実施例ではプリズム１２と照明レンズ１１とは接合されているが、一体型の方が接合ズレがないため、観察光軸Ｌ１に近づけることが可能である。よって、奥深い穴の底の観察も更に良くなる。
（実施例２）
本実施例の手術用顕微鏡の構成を図２に示す。本実施例の照明光学系２０は実施例１と同様にケーラー照明光学系であり、コンデンサレンズ８、照野絞り９、バリエーターレンズ１０、照明レンズ１１で構成される。バリエーターレンズ１０は、変倍レンズ系３の変倍動作に連動している。照明レンズ１１は、バリエーターレンズ１０からの光束を術部２の方向へ反射させるためのプリズム１２と接合されている。
【００３３】
光源部２３は、光源２４と集光レンズ２５とライトガイド２６とで構成されている。前記ライトガイド２６の出射端の中心位置Ｏは、照明光学系２０の光軸Ｌ２に対して垂直方向に本実施例では術部２に対して近づく方向（図２（ａ）の矢印Ｂ方向）に偏心している。なおかつ、反射プリズム１２と照明レンズ１１は術部２から離れる方向に偏心している。また、ライトガイド２６の出射端形状は図６のように長方形をしている。この出射端の大きさは、コンデンサレンズ８、バリエーターレンズ１０で高倍時に投影されるライトガイドの出射端像の大きさと、プリズム１２・照明レンズ１１の入射面・出射面の大きさとがほぼ同等になるような大きさにすることが望ましい。その他の構成は、実施例１と同様であるため、説明は省略する。
【００３４】
ライトガイド２６を出射した光束は、コンデンサレンズ８・バリエーターレンズ１０によって反射プリズム１２・照明レンズ１１上に結像し、図２（ｂ）の如く像を形成する。バリエーターレンズ１０によって、低倍時のライトガイド２６の出射端像はＩｍｉｎ、高倍時の出射端像はＩｍａｘで示したようになる。それ故、高倍時は実施例１と同様の効果を得られつつ、低倍時にも照明光束と観察光軸Ｌ１とが近づける。なおかつ、実施例１は高倍時照明光学系７が照明光束をケっていて光量を損失していたが、本実施例では、ライトガイドの出射端形状を照明レンズ１１・反射プリズム１２の透過面に等しく長方形にしているため、無駄なく術部２を照らすことができ、術者は明るくなおかつ深い穴でも観察可能になる。
【００３５】
本実施例では、反射プリズム１２と照明レンズ１１を術部２から離れる方向に偏心させたが、ライトガイド２６とコンデンサレンズ８と照野絞り９とバリエーターレンズ１０とを共に術部２に近づく方向に偏心させても同様の効果が得られることは言うまでも無い。
（実施例３）
本実施例の手術用顕微鏡の構成を図３、図４に示す。図３は観察対象を低倍率で観察する状態での手術用顕微鏡を側方から見た説明図であり、図４は観察対象部位を高倍率で観察する状態での手術用顕微鏡を側方から見た説明図である。
【００３６】
本実施例の照明光学系３０は実施例１と同様にケーラー照明光学系であり、コンデンサレンズ８、照野絞り９、バリエーターレンズ１０、照明レンズ３１と接合した反射プリズム３２で構成される。照明レンズ３１と接合した反射プリズム３２には、図３（ｂ）又は図９の如く二つの観察光束Ｐ１，Ｐ２に接するように切欠きが設けられている。
【００３７】
図９（ｂ）は照明レンズ３１と接合した反射プリズム３２の側面図、図９（ａ）は下面（Ａ面）から見た図、図９（ｃ）は反射面（Ｂ面）から見た図である。また、照明レンズ３１と接合した反射プリズム３２は、観察光学系の変倍レンズ系３に連動する。変倍レンズ系３が低倍率時は、反射プリズム３２は図３（ａ）に示すように、対物レンズ１の切欠きがある部分（対物レンズの光軸に対して垂直方向）に、なおかつ、観察光束Ｐ１，Ｐ２をケラない位置に配置される。変倍レンズ系３が高倍率時は、反射プリズム３２は図４（ａ）に示すように低倍時より観察光軸Ｌ１に近付きつつ術部２に近付き、さらに、観察光束Ｐ３，Ｐ４をケラない位置に配置される。
【００３８】
低倍観察時の観察光束Ｐ１，Ｐ２と高倍観察時の観察光束Ｐ３，Ｐ４とでは、対物レンズ１付近での観察光束の大きさは、低倍観察時の観察光束Ｐ１，Ｐ２の方が大きい。なぜなら、一般的な手術用顕微鏡においては、瞳位置が変倍レンズ系３の中にあり、対物レンズ１付近の光束は、画角が広い低倍観察時の方が大きくなる。よって、高倍観察時の方が照明レンズ３１と反射プリズム３２は観察光軸に近づけて配置できる。また、照明レンズ３１と反射プリズム３２の切欠き部（図９のＤ面）には、光束の反射防止用に黒い布状の遮光布３４が貼り付けられている。
【００３９】
ライトガイド３６の出射端の中心位置Ｏは、照明光学系３０の光軸Ｌ２に対して垂直方向に、本実施例では術部２に対して離れる方向（図３（ａ）又は図４（ａ）の矢印Ａ方向）に偏心している。また、ライトガイド３６の出射端面形状は、図７の如く、反射プリズム３２の切欠いた透過面（照明レンズ３１の術部側）と相似形状をしていることが望ましい。
【００４０】
また、対物レンズ１の下面には、対物レンズ１又は照明レンズ３１へのホコリ・傷防止のためにカバーガラス３３が観察光軸に対して傾いて取り付けられている。
【００４１】
その他の構成は実施例１と同様であるため、説明は省略する。
ライトガイド３６を出射した光束はコンデンサレンズ８、バリエーターレンズ１０によって反射プリズム３２・照明レンズ３１上に結像する。それ故、実施例１と同様にバリエーターレンズ１０によって低倍時のライトガイド３６の出射端像は図３（ｂ）のＩｍｉｎで示したようになる。高倍時のライトガイド３６の出射端像は、実施例１では照明レンズ１１でケラれてしまい、多少光量損失をしていたが、本実施例では、反射プリズム３２と照明レンズ３１が高倍時になると観察光軸Ｌ１に近付きつつ術部方向に近付く（偏心する）ため、ライトガイド３６の出射端像が、図４（ｂ）のＩｍａｘで示したように照明レンズ３１でケラれず、明るく術部２を照らすことが可能になる。
【００４２】
照明レンズ３１と接合した反射プリズム３２には切欠きが設けられているため、その分、実施例１よりも照明光束が観察光軸Ｌ１に近付けることが可能であり、さらに、高倍時は照明レンズ３１と接合した反射プリズム３２が観察光軸Ｌ１に近づくように動くため、実施例１よりも照明光束と観察光軸Ｌ１とが近づける。なおかつ、実施例１では、高倍時照明光学系７が照明光束をケっていて光量を損失していたが、本実施例では、光量損失が無いため無駄なく術部２を照らすことができ、術者は深い穴の底でも明るく観察することが可能になる。
【００４３】
また、照明レンズ３１と反射プリズム３２の切欠き部に遮光布を貼ったため、照明レンズ３１を出射した照明光束が、図３（ａ）又は図８のｆ１のように、カバーガラス３３で直接反射して観察光路に入りフレアーとなることを防止している。また、図３（ａ）、図８のｆ２のように、照明レンズ３１と反射プリズム３２の切欠き面で反射して観察光路に入りフレアーとなることを防止している。
【００４４】
【発明の効果】
本発明によれば、奥深い穴の底でも十分に照明が照射できるため、どんな術部に対してもケラレることなく、術者が明るい観察像を得られる実体顕微鏡を提供することができる。
【図面の簡単な説明】
【図１】本発明の実施例１の手術用顕微鏡の構成を示す図である。
【図２】本発明の実施例２の手術用顕微鏡の構成を示す図である。
【図３】本発明の実施例３の手術用顕微鏡の構成（低倍観察時）を示す図である。
【図４】本発明の実施例３の手術用顕微鏡の構成（高倍観察時）を示す図である。
【図５】本発明の実施例１のライトガイドの出射端形状を示す図である。
【図６】本発明の実施例２のライトガイドの出射端形状を示す図である。
【図７】本発明の実施例３のライトガイドの出射端形状を示す図である。
【図８】本発明の実施例３の対物レンズと照明系用反射プリズム付近の拡大図である。
【図９】本発明の実施例３の照明系用反射プリズムの形状を示す図である。
【図１０】光源が無偏心状態での照明光学系の概略光線図である。
【図１１】光源が偏心した状態での照明光学系の概略光線図である。
【符号の説明】
１　　対物レンズ
２　　観察対象（術部）
３　　変倍レンズ系
４　　接眼光学系
５　　結像レンズ
６　　接眼レンズ
７　　照明光学系
８　　コンデンサレンズ
９　　照野絞り
１０　　バリエータレンズ
１１　　照明レンズ
１２　　プリズム
１３　　光源部
１４　　光源
１５　　集光レンズ
１６　　ライトガイド
Ｈ１　　平面
ｉ　　結像位置
Ｉｍａｘ、Ｉｍｉｎ　　ライトガイドの端面像
Ｌ１　　観察光軸
Ｌ２　　照明光軸
Ｏ　　ライトガイド出射端の中心位置
Ｐ１、Ｐ２　　観察光学系の光束
【図１】
2004109840.tif 000003
【図２】
2004109840.tif 000004
【図３】
2004109840.tif 000005
【図４】
2004109840.tif 000006
【図５】
2004109840.tif 000007
【図６】
2004109840.tif 000008
【図７】
2004109840.tif 000009
【図８】
2004109840.tif 000010
【図９】
2004109840.tif 000011
【図１０】
2004109840.tif 000012
【図１１】
2004109840.tif 000013